【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
自動データ・ストレージ・ライブラリを操作するための方法において、前記自動データ・ストレージ・ライブラリが、それぞれが、最前部から最後部までの複数層の順番に配置された複数以下のデータ・ストレージ・カートリッジを保管するように構成された少なくとも複数のマルチカートリッジ・ディープ・スロット・セルを含み、前記マルチカートリッジ・ディープ・スロット・セルに関してデータ・ストレージ・カートリッジを選択的に抽出し、配置し、移送するように構成された少なくとも１つのアクセス機構を含み、前記方法が、
前記マルチカートリッジ・ディープ・スロット・セルに関してならびに前記自動データ・ストレージ・ライブラリのその他のエレメントに関してデータ・ストレージ・カートリッジを選択的に抽出し、配置し、移送するように前記少なくとも１つのアクセス機構を操作するステップと、
前記マルチカートリッジ・ディープ・スロット・セルに関して前記順番にデータ・ストレージ・カートリッジを位置決めするステップと、
前記最後部層を除く少なくとも選択された前記マルチカートリッジ・ディープ・スロット・セルのすべての層がいっぱいであるかどうかを判断するステップと、
前記最後部層を除く少なくとも選択された前記マルチカートリッジ・ディープ・スロット・セルのすべての層がいっぱいであることを示す前記判断ステップに応答して、前記データ・ストレージ・カートリッジを選択的に抽出し、配置し、移送するステップにおいて、前記マルチカートリッジ・ディープ・スロット・セルの均等拡散選択を除く前記マルチカートリッジ・ディープ・スロット・セルの前記最後部層を満たすステップと、
を含む、方法。
【請求項２】
ターゲット・マルチカートリッジ・ディープ・スロット・セルの前記順番において前記ターゲットの上に重なる少なくとも１つの他のデータ・ストレージ・カートリッジを有するターゲット・データ・ストレージ・カートリッジにアクセスし、そこに少なくとも１つの空の層を有し、移動のソースに最も近接しているマルチカートリッジ・ディープ・スロット・セルに前記少なくとも１つの他のデータ・ストレージ・カートリッジを移動して寄託する追加のステップ
を含む、請求項１記載の方法。
【請求項３】
前記ターゲット・マルチカートリッジ・ディープ・スロット・セルから前記ターゲット・データ・ストレージ・カートリッジを抽出する追加のステップと、
前記移動し寄託した少なくとも１つの他のデータ・ストレージ・カートリッジを前記ターゲット・マルチカートリッジ・ディープ・スロット・セルに返す追加のステップと、
を含む、請求項２記載の方法。
【請求項４】
複数の前記アクセス機構を有する自動データ・ストレージ・ライブラリにおいて、１つの前記アクセス機構が前記移動するステップと前記返すステップとを実行し、もう１つの前記アクセス機構が前記ターゲット・データ・ストレージ・カートリッジを抽出するステップを実行する、請求項３記載の方法。
【請求項５】
自動データ・ストレージ・ライブラリを操作するための方法において、前記自動データ・ストレージ・ライブラリが、それぞれが、最前部から最後部までの複数層の順番に配置された複数以下のデータ・ストレージ・カートリッジを保管するように構成された少なくとも複数のマルチカートリッジ・ディープ・スロット・セルを含み、前記マルチカートリッジ・ディープ・スロット・セルに関してデータ・ストレージ・カートリッジを選択的に抽出し、配置し、移送するように構成された少なくとも１つのアクセス機構を含み、前記方法が、
前記マルチカートリッジ・ディープ・スロット・セルに関してならびに前記自動データ・ストレージ・ライブラリのその他のエレメントに関してデータ・ストレージ・カートリッジを選択的に抽出し、配置し、移送するように前記少なくとも１つのアクセス機構を操作するステップと、
前記データ・ストレージ・カートリッジを選択的に抽出し、配置し、移送するステップにおいて、少なくとも選択された前記マルチカートリッジ・ディープ・スロット・セルの前記最後部層を空の状態で維持しながら、前記少なくとも選択されたマルチカートリッジ・ディープ・スロット・セルに関して前記順番にデータ・ストレージ・カートリッジを位置決めするステップと、
を含む、方法。
【請求項６】
前記最後部層を除く前記少なくとも選択されたマルチカートリッジ・ディープ・スロット・セルのすべての層がいっぱいであるかどうかを判断する追加のステップと、
前記最後部層を除く前記少なくとも選択されたマルチカートリッジ・ディープ・スロット・セルのすべての層がいっぱいであることを示す前記判断ステップに応答して、前記データ・ストレージ・カートリッジを選択的に抽出し、配置し、移送するステップにおいて、前記マルチカートリッジ・ディープ・スロット・セルの均等拡散選択を除く前記マルチカートリッジ・ディープ・スロット・セルの前記最後部層を満たす追加のステップと、
前記最後部層を含む、しきい値レベルの前記少なくとも選択されたマルチカートリッジ・ディープ・スロット・セルがいっぱいであるかどうかを判断する追加のステップと、
そうである場合、前記少なくとも選択されたマルチカートリッジ・ディープ・スロット・セル以外の前記マルチカートリッジ・ディープ・スロット・セル内にデータ・ストレージ・カートリッジを位置決めする追加のステップと、
を含む、請求項５記載の方法。
【請求項７】
前記均等拡散選択が、ランダム選択に基づいて前記最後部層を満たすステップを含む、
請求項１または請求項６記載の方法。
【請求項８】
それぞれが、最前部から最後部までの複数層の順番に配置された複数以下のデータ・ストレージ・カートリッジを保管するように構成された少なくとも複数のマルチカートリッジ・ディープ・スロット・セルと、
前記マルチカートリッジ・ディープ・スロット・セルに関してデータ・ストレージ・カートリッジを選択的に抽出し、配置し、移送するように構成された少なくとも１つのアクセス機構と、
ライブラリ・コントローラであって、
前記マルチカートリッジ・ディープ・スロット・セルに関してならびに前記自動データ・ストレージ・ライブラリのその他のエレメントに関してデータ・ストレージ・カートリッジを選択的に抽出し、配置し、移送するように前記少なくとも１つのアクセス機構を操作し、
前記マルチカートリッジ・ディープ・スロット・セルに関して前記順番にデータ・ストレージ・カートリッジを位置決めし、
前記最後部層を除く少なくとも選択された前記マルチカートリッジ・ディープ・スロット・セルのすべての層がいっぱいであるかどうかを判断し、
前記最後部層を除く少なくとも選択された前記マルチカートリッジ・ディープ・スロット・セルのすべての層がいっぱいであることを示す前記判断動作に応答して、前記データ・ストレージ・カートリッジを選択的に抽出し、配置し、移送する動作において、前記マルチカートリッジ・ディープ・スロット・セルの均等拡散選択を除く前記マルチカートリッジ・ディープ・スロット・セルの前記最後部層を満たすように構成されたライブラリ・コントローラと、
を含む、自動データ・ストレージ・ライブラリ。
【請求項９】
前記均等拡散選択が、ランダム選択に基づいて前記最後部層を満たすことを含む、請求項８記載の自動データ・ストレージ・ライブラリ。
【請求項１０】
前記均等拡散選択が、前記マルチカートリッジ・ディープ・スロット・セルのうちのＮ番目ごとのセルを除く前記選択されたマルチカートリッジ・ディープ・スロット・セルの前記最後部層を満たすことを含む、請求項８記載の自動データ・ストレージ・ライブラリ。
【請求項１１】
前記ライブラリ・コントローラが、さらに、
ターゲット・マルチカートリッジ・ディープ・スロット・セルの前記順番において前記ターゲットの上に重なる少なくとも１つの他のデータ・ストレージ・カートリッジを有するターゲット・データ・ストレージ・カートリッジにアクセスするときに、そこに少なくとも１つの空の層を有し、移動のソースに最も近接しているマルチカートリッジ・ディープ・スロット・セルに前記少なくとも１つの他のデータ・ストレージ・カートリッジを移動して寄託するように前記少なくとも１つのアクセス機構を操作するように構成される、請求項８記載の自動データ・ストレージ・ライブラリ。
【請求項１２】
前記ライブラリ・コントローラが、さらに、
前記ターゲット・マルチカートリッジ・ディープ・スロット・セルから前記ターゲット・データ・ストレージ・カートリッジを抽出し、前記移動し寄託した少なくとも１つの他のデータ・ストレージ・カートリッジを前記ターゲット・マルチカートリッジ・ディープ・スロット・セルに返すように前記少なくとも１つのアクセス機構を操作するように構成される、請求項１１記載の自動データ・ストレージ・ライブラリ。
【請求項１３】
それぞれが、最前部から最後部までの複数層の順番に配置された複数以下のデータ・ストレージ・カートリッジを保管するように構成された少なくとも複数のマルチカートリッジ・ディープ・スロット・セルと、
前記マルチカートリッジ・ディープ・スロット・セルに関してデータ・ストレージ・カートリッジを選択的に抽出し、配置し、移送するように構成された少なくとも１つのアクセス機構と、
ライブラリ・コントローラであって、
前記マルチカートリッジ・ディープ・スロット・セルに関してならびに前記自動データ・ストレージ・ライブラリのその他のエレメントに関してデータ・ストレージ・カートリッジを選択的に抽出し、配置し、移送するように前記少なくとも１つのアクセス機構を操作し、
少なくとも選択された前記マルチカートリッジ・ディープ・スロット・セルに関して前記順番にデータ・ストレージ・カートリッジを位置決めし、前記マルチカートリッジ・ディープ・スロット・セルが、前記選択的に抽出し、配置し、移送する動作において、前記少なくとも選択されたマルチカートリッジ・ディープ・スロット・セルの空の前記最後部層を空の状態で維持するように構成されたライブラリ・コントローラと、
を含む、自動データ・ストレージ・ライブラリ。
【請求項１４】
前記ライブラリ・コントローラが、さらに、
前記最後部層を除く前記少なくとも選択されたマルチカートリッジ・ディープ・スロット・セルのすべての層がいっぱいであるかどうかを判断し、
前記最後部層を除く前記少なくとも選択されたマルチカートリッジ・ディープ・スロット・セルのすべての層がいっぱいであることを示す前記判断動作に応答して、前記データ・ストレージ・カートリッジを選択的に抽出し、配置し、移送する動作において、前記マルチカートリッジ・ディープ・スロット・セルの均等拡散選択を除く前記マルチカートリッジ・ディープ・スロット・セルの前記最後部層を満たし、
前記最後部層を含む、しきい値レベルの前記少なくとも選択されたマルチカートリッジ・ディープ・スロット・セルがいっぱいであるかどうかを判断し、
そうである場合、前記少なくとも選択されたマルチカートリッジ・ディープ・スロット・セル以外の前記マルチカートリッジ・ディープ・スロット・セル内にデータ・ストレージ・カートリッジを位置決めするように構成される、請求項１３記載の自動データ・ストレージ・ライブラリ。
【請求項１５】
少なくとも１つのコンピュータ・プロセッサに自動データ・ストレージ・ライブラリを操作させるためのコンピュータ・プログラムであって、
前記自動データ・ストレージ・ライブラリが、それぞれが、最前部から最後部までの複数層の順番に配置された複数以下のデータ・ストレージ・カートリッジを保管するように構成された少なくとも複数のマルチカートリッジ・ディープ・スロット・セルを含み、前記マルチカートリッジ・ディープ・スロット・セルに関してデータ・ストレージ・カートリッジを選択的に抽出し、配置し、移送するように構成された少なくとも１つのアクセス機構を含み、請求項１ないし７のいずれか１の請求項に記載のステップを前記少なくとも１つのコンピュータ・プロセッサに実行させる、コンピュータ・プログラム。